(57)【要約】【課題】携帯端末機器の本体サイズを大きくすることなく、オプション機能回路部の発熱による携帯端末機器筐体の温度上昇を防ぐ。【解決手段】オプション機能部は、オプション機能回路部１４により発生する熱を断熱する断熱材１５を備え、外部接続用コネクタ１６およびオプション用リアケース１２によりオプション機能回路部１４を実装する携帯端末機器の本体から分離あるいは結合可能とする。オプション機能回路部１４は、熱源となる電気回路部とこのオプション機能回路部１４を本体に装着した際に手で握るオプション用リアケース１２とを有し、電気回路部とオプション用リアケース１２との間に断熱材１５を備える。【選択図】      図１
2005252687.tif 000002
【特許請求の範囲】
【請求項１】
オプション機能回路部と、前記オプション機能回路部により発生する熱を断熱する断熱手段とを備え、前記オプション機能回路部を実装する携帯端末機器の本体から分離あるいは結合可能な構造を有することを特徴とする携帯端末機器におけるオプション機能部。
【請求項２】
前記オプション機能部は、さらに、前記オプション機能回路部を前記本体に装着した際に手で握るケースを有し、前記オプション機能回路部と前記ケースとの間に断熱手段を備えることを特徴とする請求項１記載の携帯端末機器におけるオプション機能部。
【請求項３】
内部に放熱手段をさらに備えることを特徴とする請求項１または２記載の携帯端末機器におけるオプション機能部。
【請求項４】
前記放熱手段は、前記オプション機能回路部を実装しているプリント基板と、前記ケースと外部筐体を構成するカバーとの間に設けることを特徴とする請求項３記載の携帯端末機器におけるオプション機能部。
【請求項５】
前記放熱手段は筒状であることを特徴とする請求項４記載の携帯端末機器におけるオプション機能部。
【請求項６】
前記放熱手段は、その両端に筒口部を有し、この筒口部に当たる前記外部筐体のケースに通気孔を設け、空気の出入により前記オプション機能回路部で発生した熱を放熱することを特徴とする請求項５記載の携帯端末機器におけるオプション機能部。
【請求項７】
前記放熱手段の一方の端部は前記オプション機能回路部を実装したプリント基板のフレキシブル基板の保護のため塞がれていることを特徴とする請求項６記載の携帯端末機器におけるオプション機能部。
【請求項８】
前記放熱手段は、前記携帯端末機器の本体の外部筐体のケースに接触していることを特徴とする請求項６記載の携帯端末機器におけるオプション機能部。
【請求項９】
前記オプション機能部の外部筐体のケースで前記携帯端末機器の本体のケースと接触する受け部は、前記ケースの上面まで低熱伝導部材で被っていることを特徴とする請求項８記載の携帯端末機器におけるオプション機能部。
【請求項１０】
請求項１〜９いずれか１項に記載のオプション機能部を有することを特徴とする携帯端末機器。
【発明の詳細な説明】
【技術分野】
【０００１】
本発明は携帯端末機器の構造に関し、特に、携帯端末機器におけるオプション機能部の構造に関する。
【背景技術】
【０００２】
携帯端末機器、例えば携帯電話端末では機能が多機能化されるにつれ、その機能の一部をオプション化することが試みられている。従来の携帯端末機器におけるオプション機能部の構造の一例を図１５を参照して説明する。図１５において、携帯端末機器は、フロントケース１０１と、リアカバー１０２と、プリント基板１０３と、電気回路部１０４と、外部接続用コネクタ１０５と、電池１０７と、オプション機能回路部１１４とを備える。電気回路部１０４は、携帯端末機器内部にあるプリント基板１０３上に実装されている。外部接続用コネクタ１０５は、プリント基板１０３上に実装され、携帯端末機器本体の外部筐体であるフロントケース１０１とリアカバー１０２から露出している。オプション機能回路部１１４は発熱源を有し、電気回路部１０４とは別に設けられているが、同一の携帯端末機器筐体内に実装されている。
【０００３】
また関連する技術として、複数種のオプション機器を任意に装置本体に装着して、所望の複合機能を持つ携帯端末を実現する携帯情報端末が開示されている（例えば、特許文献１参照）。さらに、特許文献２には、無線機の上面部あるいは底面部にヒートパイプを挿入する穴を設け、シャーシの発熱体取付部裏面に通ずる溝部を形成する技術が開示されている。これにより、放熱フィンに固定するためのヒートシンク付きヒートパイプを装着可能にしている。
【０００４】
【特許文献１】特開平１１−２１５２１７号公報（段落番号０００４）
【特許文献２】特開２００３−１３３９８７号公報（段落番号０００４）
【発明の開示】
【発明が解決しようとする課題】
【０００５】
上述したように従来の携帯端末機器のオプション機能回路部は、同一の携帯端末機器筐体内に実装されて構成されているため、端末本体を小さくできないという問題があった。また、オプション機能回路部が発熱源である場合、携帯端末機器本体のサイズをさらに大きくすると商品性に影響があるため、断熱および放熱効果にも限度があり、端末の温度上昇を防ぐことができないという問題があった。さらに、上述した特許文献に開示された技術を組み合わせても、発熱源を有するオプション機器の放熱問題を解決することはできない。
【０００６】
本発明の目的は、携帯端末機器の本体サイズを大きくすることなく、オプション機能回路部の発熱による携帯端末機器筐体の温度上昇を防ぐことが可能な携帯端末機器におけるオプション機能部および携帯端末機器を提供することにある。
【課題を解決するための手段】
【０００７】
請求項１に記載の本発明は、オプション機能回路部と、前記オプション機能回路部により発生する熱を断熱する断熱手段とを備え、前記オプション機能回路部を実装する携帯端末機器の本体から分離あるいは結合可能な構造を有する。
【０００８】
請求項２に記載の本発明は、請求項１において、前記オプション機能部は、さらに、前記オプション機能回路部を前記本体に装着した際に手で握るケースを有し、前記オプション機能回路部と前記ケースとの間に断熱手段を備える。
【０００９】
請求項３に記載の本発明は、請求項１または２において、内部に放熱手段をさらに備える。
【００１０】
請求項４に記載の本発明は、請求項３において、前記放熱手段は、前記オプション機能回路部を実装しているプリント基板と、前記ケースと外部筐体を構成するカバーとの間に設ける。
【００１１】
請求項５に記載の本発明は、請求項４において、前記放熱手段は筒状である。  請求項６に記載の本発明は、請求項５において、前記放熱手段は、その両端に筒口部を有し、この筒口部に当たる前記外部筐体のケースに通気孔を設け、空気の出入により前記オプション機能回路部で発生した熱を放熱する。
【００１２】
請求項７に記載の本発明は、請求項６において、前記放熱手段の一方の端部は前記オプション機能回路部を実装したプリント基板のフレキシブル基板の保護のため塞がれている。
【００１３】
請求項８に記載の本発明は、請求項６において、前記放熱手段は、前記携帯端末機器の本体の外部筐体のケースに接触している。
【００１４】
請求項９に記載の本発明は、請求項８において、前記オプション機能部の外部筐体のケースで前記携帯端末機器の本体のケースと接触する受け部は、前記ケースの上面まで低熱伝導部材で被っている。
【００１５】
請求項１０に記載の本発明は、請求項１〜９いずれか１項に記載のオプション機能部を有する。
【発明の効果】
【００１６】
本発明によれば、以下に記載するような効果を奏する。
【００１７】
第１の効果は、オプション機能として携帯端末機器を機能させ、かつ発熱源となるオプション機能回路部を有するオプション機能部を携帯端末機器本体から分離させているので、携帯端末機器本体が熱くなる可能性が低くできることである。
【００１８】
第２の効果は、発熱源となるオプション機能回路部とケースの間に断熱手段を備えることで、携帯端末機器への装着時に手で握るケースにオプション機能回路部から発せられる熱を緩和させることができることである。
【００１９】
第３の効果は、頻繁に使用しないオプション機能部を携帯端末機器本体から分離させているので、携帯端末機器本体が、軽量かつ薄型化できることである。
【発明を実施するための最良の形態】
【００２０】
次に、本発明を実施するための最良の形態について、図面を参照して詳細に説明する。
【００２１】
図１を参照すると、本発明における第１の実施の形態としての携帯端末機器本体へのオプション取付前の構成斜視図が示されている。図１において、ＣＰＵ（Ｃｅｎｔｒａｌ  Ｐｒｏｃｅｓｓｉｎｇ  Ｕｎｉｔ）やメモリなどの発熱部品を有するオプション機能回路部１４は、携帯端末機器本体とは分離しており、オプション部品に内蔵されている。オプション部品は、オプション部品の外部筐体であるオプション用フロントカバー１１と、オプション用リアケース１２およびオプション部品の外部筐体の内部に位置しているプリント基板１３に実装されているオプション機能回路部１４とを含んで構成されている。そして、プリント基板１３には、携帯端末機器本体と電気的接続するためのフレキシブル基板部１３ａが形成されている。フレキシブル基板部１３ａ上には、オプション部品の外部筐体から（オプション用フロントカバー１１とオプション用リアケース１２の一側面部から）露出している外部接続用コネクタ１６が配置され互いに接続されている。また、オプション機能回路部１４とリアケース１２の間には、熱伝導率の低い断熱材１５が据え付けられ、携帯端末機器本体への装着時に手で握るリアケース１２にオプション機能回路部１４から発せられる熱を緩和させている。
【００２２】
一方、携帯端末機器本体は、主に折畳み式携帯電話機の操作部側のような携帯端末機器本体の外部筐体であるフロントケース１と、リアカバー２と、携帯端末機器内部にあるプリント基板３上に実装されている電気回路部４と、プリント基板３上に実装されるフロントケース１と、フロントケース１およびリアカバー２の一側面部から露出している外部接続用コネクタ５とを含んで構成されている。外部接続用コネクタ５はプリント基板３に接続されている。
【００２３】
図２を参照すると、本発明における第１の実施の形態としての本体へのオプション取付時の構成斜視図が示されている。図２において、携帯端末機器は、携帯端末機器本体の外部筐体であるフロントケース１とリアカバー２から露出している外部接続用コネクタ５の凹部５ａに、オプション部品の外部接続用コネクタ１６の凸部１６ａを挿入する。これにより、携帯端末機器本体内部にあるプリント基板３上に実装されている電気回路部４とオプション部品内部にあるオプション機能回路部１４とが、外部接続用コネクタ５，１６を介して電気的につながり、オプション機能を有する構成となっている。
【００２４】
携帯端末機器本体の外部接続用コネクタ５は、充電やデータ通信等にも利用される場合がある。オプション部品を装着時にはオプション部品の外部接続用コネクタ１６により塞がれているが、オプション部品の外部接続用コネクタ１６に凹部１６ｂを設けることにより、充電やデータ通信等の機能も使用可能となる。
【００２５】
図３を参照すると、図２のＡ−Ａ線に沿う構成断面図が示されている。一般的な携帯端末機器本体は、リアカバー２に電池７を有しており、電池７は電池カバー６にて蓋をされ、収納されている。
【００２６】
図４を参照すると、図２のＢ−Ｂ線に沿う構成断面図が示されている。オプション部品のリアケース１２には、受け部１２ａが形成されており、携帯端末機器本体のフロントケース１より一回り大きいリアカバー２の開放端の段差２ａに掛かり、脱落および外部接続用コネクタの破損を防止する。
【００２７】
次に，本発明における第２に実施の形態について図面を参照して説明する。その基本的構成は上述した第１の実施の形態の通りであるが、放熱効果についてさらに工夫している。その構成を図５〜図９に示す。図５を参照すると、本発明における第２の実施の形態としての本体へのオプション取付前の構成斜視図が示されている。図５において、オプション機能回路部２４は、携帯端末機器本体とは分離しており、オプション部品に内蔵されている。オプション部品は、オプション部品の外部筐体であるオプション用フロントカバー２１と、オプション用リアケース２２およびオプション部品の外部筐体の内部に位置しているフレキシブル基板部２３ａを持つプリント基板２３に実装されているオプション機能回路部２４とを含んで構成されている。そして、携帯端末機器本体と電気的接続するため、プリント基板２３のフレキシブル基板部２３ａ上にオプション部品の外部筐体の一側面部から露出している外部接続用コネクタ２６を有し、それがプリント基板２３と接続されている。
【００２８】
また、発熱部品を有するオプション機能回路部２４とリアケース２２の間には、熱伝導率の低い断熱材２５が据え付けられ、携帯端末機器本体への装着時に手で握るリアケース２２にオプション機能回路部２４から発せられる熱を緩和させる構成となっている。また、オプション機能回路部２４を実装しているプリント基板２３と、リアケース２２と外部筐体を構成するフロントカバー２１との間には、金属等の熱伝導率の高い筒状の放熱板２７が据え付けられている。
【００２９】
一方、携帯端末機器本体は、携帯端末機器本体の外部筐体であるフロントケース１と、リアカバー２と、携帯端末機器内部にあるプリント基板３上に実装されている電気回路部４と、プリント基板３上に実装され携帯端末機器本体の外部筐体であるフロントケース１とリアカバー２から露出している外部接続用コネクタ５とを含んで構成されている。
【００３０】
図６を参照すると、本発明における第２の実施の形態としての本体へのオプション取付時の構成斜視図が示されている。図６において、携帯端末機器は、携帯端末機器本体の外部筐体であるフロントケース１とリアカバー２から露出している外部接続用コネクタ５の凹部５ａにオプション部品の外部接続用コネクタ２６の凸部２６ａを挿入する。これにより、プリント基板３上に実装されている電気回路部４とオプション部品内部にあるオプション機能回路部２４とが電気的につながり、オプション機能を有する構成となっている。
【００３１】
携帯端末機器本体の外部接続用コネクタ５は、充電やデータ通信等にも利用される場合がある。オプション部品を装着時にはオプション部品の外部接続用コネクタ２６により塞がれているが、オプション部品の外部接続用コネクタ２６に凹部２６ｂを設けることにより、充電やデータ通信等の機能も使用可能となる。
【００３２】
図７を参照すると、図６のＣ−Ｃ線に沿う構成断面図が示されている。オプション部品の外部接続用コネクタ２６側で筒状の放熱板２７の両端には筒口２７ａが形成されている。筒口２７ａが位置するオプション部品の外部筐体であるリアケース２２には、通気孔２２ｂが設けられており、リアケース２２の通気孔２２ｂから侵入した空気により放熱板２７から熱が奪われる。
【００３３】
図８を参照すると、図６のＤ−Ｄ線に沿う構成断面図が示されている。オプション部品の外部接続用コネクタ２６側で筒状の放熱板２７の端部２７ｂは、プリント基板２３のフレキシブル基板部２３ａが実装されているので、フレキシブル基板部２３ａの保護のため塞がれている。
【００３４】
図９を参照すると、図６のＥ−Ｅ線に沿う構成断面図が示されている。オプション部品のリアケース２２には、受け部２２ａが設置されており、携帯端末機器本体のフロントケース１より一回り大きいリアカバー２の段差２ａに掛かり、脱落および外部接続用コネクタの破損を防止する。
【００３５】
このように、第２の実施の形態では、オプション部品内に放熱板を設置し、かつ、オプション部品のリアケースに通気孔を設けているので、オプション機能回路部発生した熱を放熱板を介し、効果的に放熱、冷却するという効果が得られる。
【００３６】
さらに，本発明の第３の実施の形態として、その基本的構成は上述した第２の実施の形態の通りであるが、放熱効果についてさらに工夫している。その構成を図１０〜図１４に示す。図１０を参照すると、本発明における第３の実施の形態としての本体へのオプション取付前の構成斜視図が示されている。図１０において、オプション機能回路部３４は、携帯端末機器本体とは分離しており、オプション部品に内蔵されている。オプション部品は、オプション部品の外部筐体であるオプション用フロントカバー３１とオプション用リアケース３２およびオプション部品の外部筐体の内部に位置しているフレキシブル基板部３３ａを持つプリント基板３３に実装されているオプション機能回路部３４とを含んで構成されている。
【００３７】
そして、携帯端末機器本体と電気的接続するためプリント基板３３のフレキシブル基板部３３ａ上にオプション部品の外部筐体から露出している外部接続用コネクタ３６を有している。また、発熱部品を有するオプション機能回路部３４とリアケース３２との間には、熱伝導率の低い断熱材３５が据え付けられ、携帯端末機器本体への装着時に手で握るリアケース３２にオプション機能回路部３４から発せられる熱を緩和させている。また、発熱部品を有するオプション機能回路部３４を実装しているプリント基板３３とフロントカバー３１の間には、金属等の熱伝導率の高い筒状の放熱板３７が据え付けられている。
【００３８】
一方、携帯端末機器本体は、携帯端末機器本体の外部筐体である金属等の熱伝導率の高いフロントケース１と、リアカバー２と、携帯端末機器内部にあるプリント基板３上に実装されている電気回路部４と、プリント基板３上に実装され携帯端末機器本体の外部筐体であるフロントケース１とリアカバー２から露出している外部接続用コネクタ５とを含んで構成されている。
【００３９】
図１１を参照すると、本発明における第３の実施の形態としての本体へのオプション取付時の構成斜視図が示されている。図１１において、携帯端末機器は、携帯端末機器本体の外部筐体であるフロントケース１とリアカバー２から露出している外部接続用コネクタ５の凹部５ａにオプション部品の外部接続用コネクタ３６の凸部３６ａを挿入する。これにより、携帯端末機器本体内部にある外部接続用コネクタ５が実装されているプリント基板３上に実装されている電気回路部４とオプション部品内部にあるオプション機能回路部３４とが電気的につながり、オプション機能を有する構成となっている。
【００４０】
携帯端末機器本体の外部接続用コネクタ５は、充電やデータ通信等にも利用される場合がある。オプション部品を装着時にはオプション部品の外部接続用コネクタ３６により塞がれているが、オプション部品の外部接続用コネクタ３６に凹部３６ｂを設けることにより、充電やデータ通信等の機能も使用可能となる。
【００４１】
図１２を参照すると、図１１のＦ−Ｆ線に沿う構成断面図が示されている。オプション部品の外部接続用コネクタ３６側の筒状放熱板３７の両端にある筒口３７ａが位置するオプション部品の外部筐体であるリアケース３２には、通気孔３２ｂが設けられており、リアケース３２の通気孔３２ｂから侵入した空気により放熱板３７から熱が奪われる。
【００４２】
図１３を参照すると、図１１のＧ−Ｇ線に沿う構成断面図が示されている。オプション部品の外部接続用コネクタ３６側の筒状放熱板３７の端部３７ｂは、プリント基板３３のフレキシブル基板部３３ａが実装されているので、フレキシブル基板部３３ａの保護のため塞がれている。
【００４３】
図１４を参照すると、図１１のＨ−Ｈ線に沿う構成断面図が示されている。オプション部品の内側両側面部のフロントカバー３１とリアケース３２の間には放熱板３７の片持ちハリ状のアーム３７ｃが設けられており、アーム３７ｃ先端部３７ｄは携帯端末機器本体のフロントケース１と接触している。オプション部品のリアケース３２の受け部３２ａは携帯端末機器本体のフロントケース１の上面まで被っている。
【００４４】
このように、第３の実施の形態では、オプション部品内に放熱板を設置し、かつ、オプション部品のリアケースに通気孔を設け、かつ、オプション部品内の放熱板と携帯端末機器本体のフロントケースを接触させる。これにより、オプション機能回路部で発生した熱を放熱板およびフロントケースを介し、効果的に放熱、冷却するという効果が得られる。また、携帯端末機器本体のフロントケースが手で持てない熱さになっても樹脂成形品等のある程度熱伝導率の低いオプション部品のリアケースが被っており、携帯端末機器本体のフロントケースが簡単に触れない状態にすることで、低温やけどを防止するという効果が得られる。
【図面の簡単な説明】
【００４５】
【図１】本発明における第１の実施の形態を示した本体へのオプション取付前の構成斜視図である。
【図２】本発明における第１の実施の形態を示した本体へのオプション取付時の構成斜視図である。
【図３】図２におけるＡ−Ａ線に沿う断面を示す構成断面図である。
【図４】図２におけるＢ−Ｂ線に沿う断面を示す構成断面図である。
【図５】本発明における第２の実施の形態を示した本体へのオプション取付前の構成斜視図である。
【図６】本発明における第２の実施の形態を示した本体へのオプション取付時の構成斜視図である。
【図７】図６におけるＣ−Ｃ線に沿う断面を示す構成断面図である。
【図８】図６におけるＤ−Ｄ線に沿う断面を示す構成断面図である。
【図９】図６におけるＥ−Ｅ線に沿う断面を示す構成断面図である。
【図１０】本発明における第３の実施の形態を示した本体へのオプション取付前の構成斜視図である。
【図１１】（ａ）は本発明における第３の実施の形態を示した本体へのオプション取付時の構成斜視図である。（ｂ）は（ａ）におけるＪ部の拡大図である。
【図１２】図１１におけるＦ−Ｆ線に沿う断面を示す構成断面図である。
【図１３】図１１におけるＧ−Ｇ線に沿う断面を示す構成断面図である。
【図１４】図１１におけるＨ−Ｈ線に沿う断面を示す構成断面図である。
【図１５】従来の携帯端末機器におけるオプション機能部の構造を示す構成断面図である。
【符号の説明】
【００４６】
１    フロントケース
２    リアカバー
３    プリント基板
４    電気回路部
５    外部接続用コネクタ
６    電池カバー
７    電池
２ａ    段差
５ａ    凹部
１１，２１，３１    オプション用フロントカバー
１２，２２，３２    オプション用リアケース
１３，２３，３３    プリント基板
１４，２４，３４    オプション機能回路部
１５，２５，３５    断熱材
１６，２６，３６    外部接続用コネクタ
２７，３７    放熱板
１２ａ，２２ａ，３２ａ    受け部
１３ａ，２３ａ，３３ａ    フレキシブル基板部
１６ａ，２６ａ，３６ａ    凸部
１６ｂ，２６ｂ，３６ｂ    凹部
２２ｂ，３２ｂ    通気孔
２７ａ，３７ａ    筒口
２７ｂ，３７ｂ    端部
３７ｃ    アーム
３７ｄ    先端部
【図１】
2005252687.tif 000003
【図２】
2005252687.tif 000004
【図３】
2005252687.tif 000005
【図４】
2005252687.tif 000006
【図５】
2005252687.tif 000007
【図６】
2005252687.tif 000008
【図７】
2005252687.tif 000009
【図８】
2005252687.tif 000010
【図９】
2005252687.tif 000011
【図１０】
2005252687.tif 000012
【図１１】
2005252687.tif 000013
【図１２】
2005252687.tif 000014
【図１３】
2005252687.tif 000015
【図１４】
2005252687.tif 000016
【図１５】
2005252687.tif 000017